(57)【要約】本発明は無線通信システムのパケットデータサービス方法を提供する。本発明は、無線パケットデータ通信システムでパケットデータサービスを提供する場合、ドーマント状態の複数のパケットデータサービスのうち、一つのサービスを活性化するために基地局から端末に伝送する呼出メッセージに前記複数のパケットデータサービスのうち、前記サービスを示すサービス照会識別子を含ませて伝送する。端末では前記サービス照会識別子により指示されたサービスに該当するサービスインスタンスが使用不可能と判断されれば、拒否を示す応答メッセージを基地局に伝送する。これにより、前記サービスが迅速に終了してドーマント状態のサービスの活性化時に無線資源の消耗を減少させ、システムの性能を向上させる。
2005520452.tif 000002
【特許請求の範囲】
【請求項１】
複数のデータサービスを基地局(ＢＳ)から端末(ＭＳ)へ提供する無線パケットデータ通信システムで、前記基地局と前記端末との間に前記複数のデータサービスのためのサービスインスタンスは維持しながら、トラフィックチャンネルを連結していないドーマント状態で前記基地局が前記複数のデータサービスのうち、一つの再連結可能性を判断するための方法において、
前記複数のデータサービスのうち、活性化しようとする一つのサービスを指示するサービス照会識別子(ＳＲ ＩＤ)を含む呼出メッセージを前記端末に伝送する過程と、
前記端末から前記呼出メッセージに対応する応答メッセージを受信する過程と、
前記応答メッセージに応じて前記該当サービスを再接続するか、終了する過程とを含むことを特徴とする方法。
【請求項２】
前記応答メッセージがサービス拒絶を意味する値に設定される場合、前記該当サービスを終了することを特徴とする請求項１に記載の方法。
【請求項３】
前記応答メッセージがサービス再接続を意味する値に設定される場合、活性化状態に進入し、前記端末とトラフィックチャンネルを連結することを特徴とする請求項１に記載の方法。
【請求項４】
前記呼出メッセージは前記活性化しようとするサービスの種類を示すサービスオプション番号フィールド内に前記サービス照会識別子を含むことを特徴とする請求項１に記載の方法。
【請求項５】
前記呼出メッセージは固有フィールド内に前記サービス照会識別子を含むことを特徴とする請求項１に記載の方法。
【請求項６】
前記応答メッセージは前記呼出メッセージに対応する呼出応答メッセージであることを特徴とする請求項１に記載の方法。
【請求項７】
前記応答メッセージは前記サービス再連結の不可能を示す拒否命令メッセージであることを特徴とする請求項１に記載の方法。
【請求項８】
複数のデータサービスを基地局(ＢＳ)から端末(ＭＳ)へ提供する無線パケットデータ通信システムで、前記基地局と前記端末との間に前記複数のデータサービスのためのサービスインスタンスは維持しながら、トラフィックチャンネルを連結していないドーマント状態で前記端末が前記複数のデータサービスのうち、一つの再連結可能性を判断するための方法において、
前記複数のサービスのうち、活性化しようとする一つのサービスを指示するサービス照会識別子を含む呼出メッセージを前記基地局から受信する過程と、
前記サービス照会識別子により指示された前記サービスに該当するサービスインスタンスが使用可能であるかを判断する過程と、
前記判断結果による応答メッセージを前記基地局に伝送する過程とを含むことを特徴とする方法。
【請求項９】
前記サービスインスタンスが使用可能な場合、前記応答メッセージはサービス再接続を意味する値に設定されることを特徴とする請求項８に記載の方法。
【請求項１０】
前記応答メッセージを伝送した後、前記基地局と前記トラフィックチャンネルを設定し、活性化状態に進入し、前記サービスを再接続する過程をさらに含むことを特徴とする請求項９に記載の方法。
【請求項１１】
前記サービスインスタンスが使用不可能な場合、前記応答メッセージはサービス拒絶を意味する値に設定されることを特徴とする請求項８に記載の方法。
【請求項１２】
前記応答メッセージを伝送した後、前記指示されたサービスを終了する過程をさらに含むことを特徴とする請求項１１に記載の方法。
【請求項１３】
前記呼出メッセージは前記活性化しようとするサービスの種類を示すサービスオプション番号フィールド内に前記サービス照会識別子を含むことを特徴とする請求項８に記載の方法。
【請求項１４】
前記呼出メッセージはサービス照会識別子のための固有フィールド内に前記サービス照会識別子を含むことを特徴とする請求項８に記載の方法。
【請求項１５】
前記判断過程では、前記端末を通じて前記基地局に接続し、前記複数のサービスのうち、前記サービス照会識別子により指示された前記サービスインスタンスを実行する使用者コンピュータが前記端末に正常的に接続されているかを判断することを特徴とする請求項８に記載の方法。
【請求項１６】
前記応答メッセージは前記呼出メッセージに対応する呼出応答メッセージであることを特徴とする請求項８に記載の方法。
【請求項１７】
前記応答メッセージは前記指示されたサービス再連結の不可能を示す拒否命令メッセージであることを特徴とする請求項８に記載の方法。
【発明の詳細な説明】
【技術分野】
【０００１】
本発明は無線通信システムに係り、特に、無線パケットデータサービスの提供時に基地局と端末との間にトラフィックチャンネルが連結されていないドーマント状態(Dormant State)でサービスの活性化が可能であるかを判断する方法に関する。
【背景技術】
【０００２】
一般に、ＣＤＭＡ(Code Division Multiple Access)２０００のような無線通信システムは第３世代無線通信を行うシステムである。このような第３世代無線通信システムは音声サービスや低速のデータサービスのみを支援する第２世代無線通信システムとは異なり、音声サービスのみならず、動映像などの高速パケットデータサービスを支援する。
【０００３】
パケットデータ(packet data)サービスのために無線チャンネルの連結を設定した後、一定の時間にトラフィックが交換されない場合、基地局と端末はシグナリングメッセージを交換した後、ドーマント状態となる。前記ドーマント状態とは基地局と端末との間にトラフィックチャンネルを連結しない状態、２階層以下の全てのチャンネルが解除され、前記チャンネル情報を除去した状態をいう。この際、端末は該当サービスのためのサービスインスタンス(service instance)を続けて維持している。サービスインスタンスはパケットデータサービスを進行し、これによる各種連結情報、具体的にはＰＰＰ(point-to-point protocol)連結情報を管理するプロセスとして定義される。前記サービスインスタンスはサービス照会識別子(Service Reference Identifier:ＳＲ ＩＤ)により識別される。
【０００４】
ドーマント状態では、ＰＰＰ連結情報のみが管理される。ドーマント状態で伝送するトラフィックが発生すれば、基地局と端末は再連結状態に進入してＰＰＰ連結情報の設定を除いて初期の呼設定時と同じ動作を行う。再連結状態でサービス活性化が可能であると判断されれば、基地局と端末はアクティブ状態(Active State)に遷移してパケットを交換する。
【０００５】
ドーマント状態の特定のサービスを活性化しようとする場合、基地局は活性化しようとするサービスの種類を示すサービスオプションのみを端末に通知する。基地局と端末との間には同じサービスオプションを有する二つ以上のサービスが行われることもある。例えば、端末にラップトップ(laptop)型コンピュータを連結し、一つの無線接続を通じて端末はＶＯＤ(Video on Demand)サービスを行い、ラップトップ型コンピュータはＦＴＰ(File Transfer Protocol)サービスを行うと、端末はＶＯＤとＦＴＰのための二つのサービスインスタンスを実行する。前記サービスインスタンスは高速のパケットデータサービスのためのサービスオプション番号、例えば、３３を有するが、それぞれ独立的なＰＰＰ連結を使用する。
【０００６】
このように二つ以上のサービスが維持される場合、端末はトラフィックチャンネルを連結し、アクティブ状態に遷移した後、基地局から受信したサービス照会識別子(ＳＲ ＩＤ)を用いて活性化しようとするサービスを識別し、該当サービスインスタンスが使用可能であるかを判断する。上述したドーマント状態で端末とラップトップ型コンピュータとの連結が切断されれば、前記ＦＴＰサービスに対するサービスインスタンスは使用不可能になる。この際、基地局がＦＴＰサービスに該当するサービス照会識別子を用いてサービスの活性化を要請すれば、端末は前記サービス照会識別子により指示されたサービスインスタンスの使用不可能を確認し、前記割り当てられたトラフィックチャンネルを解除する。
【０００７】
このような従来のシステムでは基地局が活性化しようとするサービスを指示するサービス照会識別子をトラフィックチャンネルの割当て以前に通知しないことにより、端末が該当サービスインスタンスを再実行できない場合でも、トラフィックチャンネルが割当てられ、サービス連結のためのメッセージが交換される。したがって、サービスの終了時まで不必要なシグナリングメッセージとトラフィックが発生し、端末と基地局がトラフィックチャンネルを割当てし、これを該当サービスの活性化不可能を確認するまで占有するので、端末と基地局の無線資源を浪費し、該当サービスの終了時まで不必要な遅延が発生するという問題点があった。
【発明の開示】
【発明が解決しようとする課題】
【０００８】
したがって、本発明の目的は、無線パケットデータ通信システムでドーマント状態の複数のデータサービスのうち、一つの活性化可能性を判断するための方法を提供することにある。
【０００９】
本発明の他の目的は、無線パケットデータ通信システムで使用不可能なサービスの終了時に無線資源の浪費を減らすための方法を提供することにある。
【００１０】
本発明のさらに他の目的は、無線パケットデータ通信システムでシステムに対する影響を最小化しながら、使用不可能なサービスを迅速に終了するための方法を提供することにある。
【課題を解決するための手段】
【００１１】
前記目的を達成するために本発明は複数のデータサービスを基地局(ＢＳ)から端末(ＭＳ)へ提供する無線パケットデータ通信システムで、前記基地局と前記端末との間に前記複数のデータサービスのためのサービスインスタンスは維持しながら、トラフィックチャンネルを連結していないドーマント状態で前記複数のデータサービスのうち、一つの再連結可能性を判断するための方法を提供する。前記基地局は前記複数のデータサービスのうち、活性化しようとする一つのサービスを指示するサービス照会識別子(ＳＲ ＩＤ)を含む呼出メッセージを前記端末に伝送する。前記端末は前記サービス照会識別子により指示された前記サービスに該当するサービスインスタンスが使用可能であるかを判断する。前記サービスインスタンスが使用不可能な場合、前記端末はサービス拒絶を意味する応答メッセージを前記基地局に伝送する。
【発明の効果】
【００１２】
本発明によれば、ドーマント状態でサービス再連結が不可能な場合、該当サービスインスタンスを迅速に終了して無線資源の消耗を減少させ、システムの性能を向上させる。さらに、一般的な呼出メッセージの構成を変更せず、サービスオプション番号の一部値をサービスインスタンスを指示するサービス照会識別子(ＳＲ ＩＤ)に割当てることにより、既存のシステムにも容易に適用することができる。
【発明を実施するための最良の形態】
【００１３】
以下、本発明の好ましい実施例を添付図面に参照して詳細に説明する。下記の説明において、本発明の要旨のみを明瞭するために公知の機能又は構成に対する詳細な説明は省略する。特に、パケットデータサービスの連結及び活性化のために使用される呼出メッセージの構成とサービスの種類を示すサービスオプション番号(Service Option Number)の具体的な例のような特定詳細が本発明の全般的な理解のために提供されている。しかし、前記特定詳細なしに又はこれらの変形によっても、本発明の容易な実施が可能なのは本発明の技術分野における通常の知識を持つ者には明らかである。
【００１４】
本発明は無線パケットデータ通信システムでドーマント状態の複数のサービスのうち、一つの再連結可能性を判断する方法を提供する。より具体的には、ドーマント状態でサービス活性化のために基地局が最初に伝送するメッセージに活性化しようとするサービスの識別が可能なサービス照会識別子(ＳＲ ＩＤ)を含めて伝送する。本発明に応じてドーマント状態の複数のサービスのうち、一つの再連結可能性を判断するための動作を説明する前に、典型的なＣＤＭＡ２０００システムでパケットデータサービスを行うための基地局と端末の動作を詳細に説明する。ここで、端末は基地局と無線接続を設定し、前記無線接続を通じてパケットデータサービスノード(Packet Data Service Node:ＰＤＳＮ)装備に接続する。前記パケットデータサービスノードは移動通信ネットワークをインターネットなどのパケット通信ネットワークに連結し、パケットデータサービスの実行に関連して端末のサービスインスタンスと通信するサービスインスタンスなどを管理する。
【００１５】
図１は、ドーマント状態からアクティブ状態に遷移した後、正常的にパケットデータサービスの開始前までのシグナリングメッセージの流れを示した図である。ここで、基地局と端末との間に連結された複数のサービスはドーマント状態であり、端末は前記サービスに該当するサービスインスタンスを維持している。
【００１６】
図１を参照すれば、ドーマント状態１０で基地局に特定のサービスのためのパケットが発生した場合、基地局は前記特定のサービスを活性化するためにステップ１０１のように呼出チャンネルで呼出メッセージを端末に伝送する。前記呼出メッセージは前記特定のサービスの種類を示すサービスオプション番号を含む。前記サービスの種類にはシステムに応じて各種の音声符号化方法を使用する音声呼、各種の伝送速度を支援するデータ呼及びテスト呼などに分けられる。
【００１７】
端末は前記呼出メッセージを受信すれば、ステップ１０２のように呼出応答(Page Response)メッセージを基地局に伝送する。前記呼出応答メッセージはドーマント状態のサービスを活性化するために使用される場合、活性化しようとするサービスのサービスオプション番号を含む。これは前記呼出メッセージが最初にサービスを開始するための用途として使用される場合と同じである。基地局は前記呼出応答メッセージを受信すれば、順方向及び逆方向トラフィックチャンネルを割当てし、ステップ１０３のように呼出チャンネルを通じて前記トラフィックチャンネルの割当て情報を含むトラフィックチャンネル割当て(Traffic Channel Assignment)メッセージを端末に伝送し、ステップ１０４のように順方向トラフィックチャンネルを通じて空データ(null data)を伝送する。
【００１８】
端末は前記トラフィックチャンネル割当てメッセージを受信して順方向及び逆方向トラフィックチャンネルを設定し、前記順方向トラフィックチャンネルを通じて順方向トラフィック(すなわち、空データ)の伝送を確認した後、ステップ１０５のように前記逆方向トラフィックチャンネルでプリアンブル(preamble)を伝送する。基地局は前記逆方向トラフィックチャンネルを通じて前記プリアンブルを受信した後、端末に基地局応答命令を伝送する。前記基地局応答命令を端末が受信すれば、両方向のトラフィックチャンネルの設定が完了され、端末と基地局はアクティブ状態２０となる。
【００１９】
アクティブ状態２０の基地局はサービスを再連結するためにステップ１０７でサービス接続(Service Connect)メッセージを伝送する。ここで、前記サービス接続メッセージはドーマント状態の複数のサービスのうち、再連結しようとするサービスを指示するサービス照会識別子(ＳＲ ＩＤ)を含む。前記端末は前記ＳＲ ＩＤにより指示されるサービスに該当するサービスインスタンスが使用可能であるかを判断する。仮に、使用可能な場合、ステップ１０８のようにサービス接続完了(Service Connect Completion)メッセージを基地局に伝送する。これにより、端末と基地局はパケットデータサービスを開始し、該当サービスのためのパケットを交換する(参照符号３０)。
【００２０】
アクティブ状態２０に進入した後、サービスパラメータの再交渉が必要であると判断される場合、基地局はサービス接続メッセージの伝送前に端末に新たなサービスパラメータを含むサービス要求(Service Request)メッセージを伝送する。前記サービス要求メッセージはサービス照会識別子を含むので、端末は前記サービス要求メッセージに含まれたサービス照会識別子により該当サービスインスタンスが使用可能であるかを判断できる。仮に、使用可能な場合、サービス応答メッセージ(Service Response Message)を基地局に伝送し、サービスの再連結のためにサービス接続メッセージを待機する。
【００２１】
より詳しく説明すれば、上述したＳＲ ＩＤは端末が連結しているサービスに該当するサービスインスタンスを指示する３ビットの値である。このうち、ＳＲ ＩＤ“０”はシグナリング用として固定されており、“７”は非サービス(null service)を指示する。したがって、一つの無線接続によるサービスの連結時ごとに生成するサービスインスタンスには“１”から“６”までの番号のうち、現在使用しない番号が割当てられる。
【００２２】
サービスインスタンスはサービス関連構成情報(すなわち、サービスオプション番号、多重化(ＭＵＸ)オプション番号、無線リンクプロトコル(Radio Link Protocol:ＲＬＰ)情報など)、論理的チャンネルと物理的チャンネルとの関係テーブル(Logical-to-Physical Mapping table：ＬＰＭ)などのサービス進行に必要な全ての情報を管理するプロセスである。サービスインスタンスはサービスが完全に解除されるときに消滅され、該当ＳＲ ＩＤも他のサービスインスタンスに使用が可能である。ＳＲ ＩＤはパケットデータ(ＰＤＵ：Packet Datagram Unit)のヘッダーに含まれて基地局から端末又は端末から基地局に伝送するパケットデータのサービス区分のための用途として使用される。
【００２３】
一方、前記サービス接続メッセージに含まれたＳＲ ＩＤに対応するサービスインスタンスが使用不可能な場合、端末はサービス再連結が不可能であると判断してサービスを終了するために図２の動作を行う。図２は典型的なＣＤＭＡ２０００システムでドーマント状態のサービス再連結が不可能な場合、サービスの終了時までのシグナリングメッセージの流れを示したものである。ここで、ステップ１０１乃至ステップ１０６は図１に示した動作と同じなので、その詳細な説明は省略する。
【００２４】
図２を参照すれば、アクティブ状態に進入した端末はステップ１１０で基地局から受信したサービス接続メッセージに含まれたＳＲ ＩＤから該当サービスインスタンスが使用不可能な状態を確認すれば、ステップ１１１で基地局に拒否命令(Reject Order)を伝送する。基地局は前記拒否命令を受信すれば、ステップ１１２で端末に終了命令(Release Order)を伝送した後、割当てられたトラフィックチャンネルを解除し、端末もステップ１１３で基地局に終了命令を伝送した後、割当てられたトラフィックチャンネルを解除する。さらに、端末は該当サービスインスタンスを終了し、該当ＳＲ ＩＤを他のサービスインスタンスに対して使用可能にする。
【００２５】
図１及び図２による基地局と端末の動作流れを図３及び図４にそれぞれ示した。
図３を参照すれば、ステップ２００でドーマント状態の特定のサービスのための新たなパケットが発生した場合、ステップ２０１で基地局は前記特定のサービスのサービスオプション番号を含む呼出メッセージを呼出チャンネルを通じて端末に伝送する。ステップ２０２で端末からの呼出応答メッセージを受信すれば、前記呼出応答メッセージに含まれたサービスオプション番号から端末でサービス連結が可能であるかを検査する。仮に、前記サービスオプション番号が“０ｘ００００”であれば、サービス連結不可能と判断する。ドーマント状態でサービスを再開する場合は既に初期にサービス可能状態を検証したので、前記呼出応答メッセージは基地局がステップ２０１で呼出メッセージを用いて伝送したサービスオプション番号を含んでいる。したがって、ドーマント状態のサービスを活性化する場合、基地局は前記呼出応答メッセージから常にサービス可能状態と判断する。
【００２６】
ステップ２０３で、基地局は前記特定のサービスのためにトラフィックチャンネルを割当てし、順方向トラフィックチャンネルで空トラフィックデータを伝送し、ステップ２０４で端末にチャンネル割当てメッセージを伝送する。ステップ２０５で、基地局は逆方向トラフィックチャンネルをモニタリングして端末が逆方向トラフィックチャンネルを通じてプリアンブルを伝送することを確認すれば、ステップ２０６で基地局応答命令を端末に伝送する。
【００２７】
ステップ２０７で、基地局は端末に再連結しようとするサービスを指示するサービス照会識別子を含むサービス接続メッセージを伝送し、端末からの応答を待機する。ステップ２０８で、基地局は端末からサービス接続完了メッセージを受信して前記サービスの再連結可能状態を確認した後、パケットの送受信を開始する。前記ステップ２０８でサービス応答メッセージが受信されなければ、基地局はステップ２０９に進行して端末から拒否命令の受信を待機する。端末から拒否命令が受信されれば、基地局はステップ２１０のように終了命令を伝送し、ステップ２１１で端末から終了命令を受信した後、割当てられたトラフィックチャンネルを解除し、該当サービスを終了する。
【００２８】
図４を参照すれば、端末はドーマント状態でステップ３００のように呼出チャンネルをモニタリングしてステップ３０１のように呼出メッセージを受信する。ステップ３０２で前記呼出メッセージに含まれた受信アドレスを自分のアドレスと比較して一致しない場合、端末はステップ３００に復帰して呼出チャンネルを続けてモニタリングする。ここで、自分の呼出メッセージ、自分のアドレスを含む呼出メッセージを受信した場合、端末は前記呼出メッセージに含まれたサービスオプション番号から基地局が再連結しようとするサービスの種類を支援できるかを判断する。しかし、ドーマント状態でサービスを再連結する場合、端末が該当サービスの種類を支援するように連結されたので、端末は常に前記サービスの種類を支援できると判断する。したがって、ステップ３０３で端末は基地局に呼出応答メッセージを伝送する。前記呼出応答メッセージは前記呼出メッセージにより要求されたサービスの種類支援可能状態を示すために前記呼出メッセージに含まれたサービスオプション番号を含む。ステップ３０４で、端末は基地局からチャンネル割当てメッセージが受信されれば、ステップ３０５で前記チャンネル割当てメッセージに含まれた割当て情報に応じて順方向及び逆方向トラフィックチャンネルを設定する。ステップ３０６で、端末は前記設定された順方向トラフィックチャンネルで空トラフィックデータを受信して順方向チャンネルの正常的な設定を確認すれば、ステップ３０７で前記設定された逆方向チャンネルでプリアンブルを基地局に伝送する。ステップ３０８では、基地局から基地局応答命令が受信されれば、端末はプリアンブルの伝送を中止して順方向及び逆方向トラフィックチャンネルの正常的な設定を確認する。
【００２９】
トラフィックチャンネルが正常的に設定された後、ステップ３０９で基地局からサービス接続メッセージが受信されれば、ステップ３１０で端末は前記サービス接続メッセージに含まれたサービス照会識別子を用いて実行中の複数のサービスのうち、前記サービス照会識別子により指示されたサービスに該当するサービスインスタンスが使用可能であるかを判断する。仮に、サービスインスタンスが使用可能な場合、ステップ３１１でサービス接続完了メッセージを基地局に伝送し、パケット送受信を開始する。しかし、ステップ３１０で前記サービスインスタンスが使用不可能な場合、端末はステップ３１２のように基地局に拒否命令を伝送する。ステップ３１３で基地局から終了命令が受信されれば、端末はステップ３１４で終了命令を伝送した後、割当てられたトラフィックチャンネルを解除し、該当サービスインスタンスを終了する。
【００３０】
図５乃至図８は、典型的にドーマント状態でパケットデータサービスの開始のために使用される呼出メッセージと呼出応答メッセージの構成を示したものである。詳しくは、図５は典型的な呼出メッセージの構成を示している。示したように、前記呼出メッセージは１６ビットのサービスオプション番号を示すSERVICE_OPTIONフィールドを含んでいる。
【００３１】
図６は前記サービスオプション番号のフォーマットを示す。図６を参照すれば、１ビットは製造社指示子(Proprietary Indicator)であり、３ビットはサービスオプション内容(Service Option Revision)であり、残り１２ビットは基本サービスオプション番号である。ここで、製造社指示子を除いた残り１５ビットがサービスオプション番号を示すために使用される。
【００３２】
図７はサービスオプション番号割当ての例を示したものである。サービスの種類はその値に応じて８kbps音声呼、ループバック呼などを含む。特に、４,１０５乃至３２,７６７は使用しない予備値である。
【００３３】
図８は呼出応答メッセージ(Page Response Message)の構成を示したものである。図８を参照すれば、呼出メッセージのようにサービスオプション番号を示すSERVICE_OPTIONフィールドを含む。
【００３４】
上述したように、ドーマント状態のサービスのためのパケットが発生した場合、基地局はサービス再連結を要求するために端末に呼出メッセージを伝送する。しかし、前記呼出メッセージはサービスの最初連結時に使用するように構成されたので、連結しようとするサービスのサービスオプション番号のみを含む。一つの無線接続を通じて複数のサービスが連結された状態で、各々のサービスはサービス照会識別子により識別されうる。したがって、本発明ではドーマント状態でサービス再連結を要求するために最初に伝送される呼出メッセージにサービス照会識別子を含ませることにより、端末のサービス連結可能可否を迅速に判断できる。
【００３５】
図９は、本発明に応じてドーマント状態でサービス再連結が不可能な場合、サービスの終了時までのシグナリングメッセージの流れを示したものである。図９を参照すれば、ドーマント状態１０で特定のサービスのために端末に伝送するパケットが発生する場合、ステップ４０１で基地局は端末に呼出メッセージを伝送する。この際、前記呼出メッセージは連結しようとするサービスの種類を示すサービスオプション番号と、基地局と端末との間に実行中の複数のパケットデータサービスのうち、前記再連結しようとするサービスを示す固有サービス照会識別子とを含む。前記呼出メッセージにサービス照会識別子を含ませる具体的な方法は下記で詳しく後述する。端末は前記呼出メッセージに含まれたサービス照会識別子を参照して該当サービスインスタンスが使用可能であるかを検査する。前記サービスインスタンスが使用可能な場合、端末は呼出応答メッセージに前記サービス照会識別子を含ませるか、該当サービスオプション番号を含ませて基地局に伝送した後、上述したように、トラフィックチャンネルを割当てし、必要な場合はサービスパラメータを再交渉してパケットデータサービスを開始する。
【００３６】
しかし、前記該当サービスインスタンスが使用不可能な場合、端末はステップ４０２で呼出応答メッセージにサービス連結拒絶の意味を示す値、例えば、“０x００００”を含ませて伝送するか、拒否応答メッセージを伝送した後、該当サービスを終了する(参照符号４０)。ここで、基地局と端末との間にはトラフィックチャンネルが割当てられないので、終了命令を交換する必要はない。
【００３７】
図１０は、本発明の一実施例に応じてサービス照会識別子を有する情報フィールドを含む呼出メッセージの構成を示したものである。図５に示した一般的な呼出メッセージに比べると、サービスオプション番号を示す１６ビットのSERVICE_OPTIONフィールドのみならず、サービス照会識別子を示す３ビットのＳＲ_ＩＤフィールドを含んでいる。
【００３８】
しかし、呼出メッセージはドーマント状態のサービスの再連結のみのために使用されることでなく、最初に呼接続を開始するために使用されるので、呼出メッセージに別途の情報フィールドを追加することは最初の呼接続時に不必要に処理すべき負担を発生させる。したがって、本発明の他の実施例では呼出メッセージに含まれるサービスオプション番号の予備値のうち、一部をサービス照会識別子を示すように割当てることにより、呼出メッセージの構成を変更せず、サービス照会識別子を含ませる。すなわち、図７に示したように、サービスオプション番号のうち、各サービスに割当てられない残りサービスオプション番号の値をサービス照会識別子を示すように割当てる。
【００３９】
図１１は、本発明の他の実施例に応じてサービス照会識別子を示すためのSERVICE_OPTIONフィールドの構成を示したものである。示したようにサービス照会識別子を示す場合、１６ビットのSERVICE_OPTIONフィールドのうち、１番目のビットは０に設定され、２番目乃至１３番目のビットは該当フィールドがサービス照会識別子を表示することを知らせるために“１”に設定され、残り３個のビットはドーマント状態のサービスインスタンスのサービス照会識別子を示す。
【００４０】
図１２は、本発明の他の実施例に応じてサービス照会識別子を示すサービスオプション番号の割当てを示す。図１２を参照すれば、サービスオプション番号“０x７ＦＦ８(３２,７６０)”から“０ｘ７ＦＦＦ(３２,７６７)”が“０”から“７”までのサービス照会識別子を示すように割当てられる。例えば、端末にラップトップ型コンピュータを連結し、一つの無線接続を通じて端末ではＶＯＤ(Video on Demand)サービスを実行し、ラップトップ型コンピュータではＦＴＰ(File Transfer Protocol)サービスを実行する場合、端末はＦＴＰサービスとＶＯＤサービスを実行するための二つのサービスインスタンスを使用する。前記サービスインスタンスは高速のパケットデータサービスのためのサービスオプション番号、例えば、“３３”を有するが、それぞれ独立的な連結(一般的にＰＰＰ連結)を用いて基地局を通じて該当するサーバーに接続し、固有のサービス照会識別子を有する。
【００４１】
前記二つのサービスの両方で一定の時間に伝送するパケットが発生しなければ、基地局と端末は無線上のトラフィックチャンネルを解除しながら、前記二つのサービスに該当するサービスインスタンスは維持するドーマント状態となる。ドーマント状態でＦＴＰサービスのために端末に伝送するパケットが発生すれば、基地局はＦＴＰサービスに該当するサービス照会識別子を用いて端末にＦＴＰサービスの再開を要請する。前記サービス照会識別子はドーマント状態で端末に最初に伝送される呼出メッセージに含まれる。
【００４２】
しかし、使用者が端末とラップトップ型コンピュータの接続を除去すれば、端末はＦＴＰサービスのためのサービスインスタンスを使用できない。したがって、端末は拒否を示す値を含む呼出応答メッセージ又は拒否命令を基地局に伝送し、基地局はこれに応答してサービスを終了する。
【００４３】
一方、サービスインスタンスは所定の時間に設定される有効タイマーの満期により使用不可能になることもある。前記サービスインスタンスに対する再連結を要求する呼出メッセージの受信時に、端末は拒否を示す値を含む呼出応答メッセージ又は拒否命令を基地局に伝送し、基地局はこれに応答してサービスを終了する。
【００４４】
図９に示した基地局と端末の動作流れを図１３及び図１４に示した。図１３を参照すれば、ステップ５００でドーマント状態の特定のサービスのための新たなパケットが発生する場合、ステップ５０１で基地局は前記特定のサービスのサービス照会識別子を含む呼出メッセージを呼出チャンネルを通じて端末に伝送する。ここで、前記サービス照会識別子は別途の情報フィールド内に含まれるか、サービスオプション番号を示すフィールド内に予め定義された値のうち、一つに含まれる。ステップ５０２で端末からの呼出応答メッセージを受信すれば、ステップ５０３で基地局は前記呼出応答メッセージに含まれたサービスオプション番号から端末でサービス再連結が可能であるか、すなわち、前記サービス照会識別子により指示されたサービスに該当するサービスインスタンスが使用可能であるかを検査する。仮に、前記サービスオプション番号が“０x００００”であれば、サービス連結が不可能であると判断してステップ５１０に進行して該当サービスを終了する。前記サービスオプション番号が“０x００００”でない場合、ステップ５０４で基地局は前記特定のサービスのために順方向及び逆方向トラフィックチャンネルを割当てし、前記順方向トラフィックチャンネルで空トラフィックデータの伝送を開始する。さらに、ステップ５０５で端末に前記トラフィックチャンネルの割当て情報を含むチャンネル割当てメッセージを伝送する。ステップ５０６で、基地局は前記逆方向トラフィックチャンネルをモニタリングして端末が前記逆方向トラフィックチャンネルを通じてプリアンブルを伝送していることを確認すれば、ステップ５０７で基地局応答命令を端末に伝送してトラフィックチャンネルの割当て完了を通知する。
【００４５】
トラフィックチャンネルが設定されれば、ステップ５０８で基地局は端末にサービス接続メッセージを伝送する。ステップ５０９で基地局は端末からサービス接続完了メッセージを受信した後、パケットの送受信を開始する。
【００４６】
図１４を参照すれば、端末はドーマント状態でステップ６００のように呼出チャンネルをモニタリングしてステップ６０１で受信アドレス及び開始しようとするサービスのサービス照会識別子を含む呼出メッセージを受信する。ステップ６０２で前記呼出メッセージに含まれた受信アドレスが自分のアドレスと一致しなければ、端末はステップ６００に復帰して呼出チャンネルを続けてモニタリングする。前記呼出メッセージに含まれた受信アドレスが自分のアドレスと一致する場合、端末はステップ６０３で前記呼出メッセージに含まれたサービスオプション番号、すなわち、サービス照会識別子を用いて基地局が再連結しようとするサービスが可能であるか、すなわち、前記サービス照会識別子により指定されたサービスインスタンスが依然として有効であるかを判断する。仮に、前記サービスが不可能であれば、ステップ６１２に進行する。
【００４７】
一方、ステップ６０３で前記サービスが可能であれば、ステップ６０４で端末は基地局に呼出応答メッセージを伝送する。前記呼出応答メッセージは前記要求されたサービスの再連結可能状態を基地局に知らせるために前記呼出メッセージに含まれたサービスオプション番号、すなわち、サービス照会識別子を含む。
【００４８】
ステップ６０５で、端末は基地局からチャンネル割当てメッセージが受信されれば、ステップ６０６で前記チャンネル割当てメッセージに含まれた割当て情報に応じて順方向及び逆方向トラフィックチャンネルを設定する。ステップ６０７で、端末は前記設定された順方向トラフィックチャンネルで空トラフィックデータを受信して順方向チャンネルの設定が正常的に行われることを確認すれば、ステップ６０８で前記設定された逆方向チャンネルでプリアンブルを伝送し始める。ステップ６０９で、基地局から基地局応答命令が受信されれば、順方向及び逆方向トラフィックチャンネルの設定が正常的に行われると確認される。
【００４９】
トラフィックチャンネルが正常的に設定された後、ステップ６１０で基地局からサービス接続メッセージが受信されれば、ステップ６１１で端末はサービス接続完了メッセージを基地局に伝送し、パケットの送受信を開始する。
【００５０】
上述したように、ステップ６０３で前記呼出メッセージに含まれて伝送されたサービス照会識別子が指示するサービスインスタンスが使用不可能な場合、端末はステップ６１２でサービスの不可能を意味する値“０x００００”に設定されたサービスオプション番号を含む呼出応答メッセージを基地局に伝送する。他の実施例において、端末は前記要求されたサービスインスタンスが使用不可能な場合、前記呼出メッセージに応答して拒否命令(Reject Order)を伝送することができる。これにより、端末は該当サービスインスタンスを終了する。
【００５１】
以上、本発明の詳細な説明では具体的な実施例について説明したが、本発明の範囲を逸脱しない限り、各種の変形が可能なのは明らかである。したがって、本発明の範囲は前記実施例に限るものでなく、特許請求の範囲並びにその特許請求の範囲と均等なものにより定められるべきである。
【図面の簡単な説明】
【００５２】
【図１】本発明が適用されるＣＤＭＡ２０００システムのドーマント状態からアクティブ状態に遷移した後、正常的にパケットデータサービスを開始するまでのシグナリングメッセージの流れを示した図。
【図２】典型的なＣＤＭＡ２０００システムで、ドーマント状態のサービスの活性化が不可能な場合、サービスの終了時までのシグナリングメッセージの流れを示した図。
【図３】図１及び図２による基地局の動作流れ図。
【図４】図１及び図２による端末の動作流れ図。
【図５】一般的な呼出メッセージの構成図。
【図６】呼出メッセージに含まれるサービスオプション番号のフォーマットを示す図。
【図７】サービスオプション番号の割当て例を示した図。
【図８】一般的な呼出応答メッセージの構成図。
【図９】本発明に応じてドーマント状態のサービスの活性化が不機能な場合、サービスの終了時までのシグナリングメッセージの流れを示した図。
【図１０】本発明の一実施例に応じてサービス照会識別子を有する情報フィールドをさらに含む呼出メッセージの構成図。
【図１１】本発明の他の実施例に応じてサービス照会識別子を示すためのサービスオプション番号の例示図。
【図１２】本発明の他の実施例に応じてサービス照会識別子を示すサービスオプション番号の割当てを示した図。
【図１３】図９による基地局の動作流れ図。
【図１４】図９による端末の動作流れ図。
【図１】
2005520452.tif 000003
【図２】
2005520452.tif 000004
【図３】
2005520452.tif 000005
【図４】
2005520452.tif 000006
【図５】
2005520452.tif 000007
【図６】
2005520452.tif 000008
【図７】
2005520452.tif 000009
【図８】
2005520452.tif 000010
【図９】
2005520452.tif 000011
【図１０】
2005520452.tif 000012
【図１１】
2005520452.tif 000013
【図１２】
2005520452.tif 000014
【図１３】
2005520452.tif 000015
【図１４】
2005520452.tif 000016
【国際調査報告】
2005520452.tif 000017